(57)【要約】      （修正有）【課題】広告物を支持する支柱において、簡単な形状であり、よりよくモジュール化できるだけでなく、生産コストを改善した支柱を提供する。【解決手段】支持支柱は、金属製の内側構造物１と、支柱の先端から根元に隣接する位置まで延びる少なくとも１つの垂直な溝を有するとともに、支柱の全長に亘って延在する外側ライニング２と、を備え、支柱の根元に隣接して設けられるドライビングプーリ４と、支柱の先端に隣接して設けられるリターンプーリ５とに取り付けられる内側ベルト３を有し、ベルトに並んで設けられるレールに沿ってスライドする２つの内側スライド６、７を備え、第１のスライド６は上側に設けられるとともにベルトの一部に固着され、広告物を支持するように構成され、溝内でスライドする少なくとも２つの部材８、９を備える。【選択図】図１
2012003261.tif 000002
【特許請求の範囲】
【請求項１】
広告物、特に帯状体、パネル、旗、及びバナー用の支持支柱であって、前記支柱は、金属製の内側構造物（１）と、前記支柱の先端から根元に隣接する位置まで延びる少なくとも１つの垂直な溝（２’）を有するとともに、前記支柱の全長に亘って延在する外側ライニング（２）と、を備え、
前記支柱の根元に隣接して設けられるドライビングプーリ（４）と、前記支柱の先端に隣接して設けられるリターンプーリ（５）とに取り付けられる内側ベルト（３）を有し、
前記ベルトに並んで設けられる少なくとも１本のレール（１８）に沿ってスライドする２つの内側スライド（６、７）を備え、第１のスライド（６）は上側に設けられるとともに前記ベルトの一部に固着され、
前記広告物を直接的に又は間接的に支持するように構成され、前記溝（２’）内でスライドし、第１の前記スライド及び第２の前記スライドにそれぞれ取り外し可能な方法で固定された前記ライニングの内側部、及び前記広告物用の固定ポイント又は支持ブラケット（１０、１１）を有外側部を有する、少なくとも２つの部材（８、９）を備え、
減速機構（１２、１３）と、前記ベルトに固着された前記スライド（６）の上昇、下降を操作することができる手動操作用クランク（１４）とを有する前記ドライビングプーリの駆動装置、を備える支持支柱。
【請求項２】
請求項１に記載の広告物用支持支柱であって、前記支持体（８、９）は、モジュール構造を有するとともに、上側の前記スライド及び下側の前記スライドにそれぞれを互いに反転させた配置で取り付けられることを特徴とする支持支柱。
【請求項３】
請求項１に記載の広告物用支持支柱であって、前記スライド（６、７）はモジュール構造を有するとともに、互いに反転する態様で取り付けられることを特徴とする支持支柱。
【請求項４】
請求項１に記載の広告物用支持支柱であって、下側に配置される前記第２のスライド（７）は、前記支柱が垂直方向の旗、又はバナーを支持する為に使用される際は前記レールに沿って自由にスライドできる一方、前記支柱が水平方向の帯、又はパネルを支持する為に使用される際は前記上側のスライド（６）に固定されるよう構成されることを特徴とする支持支柱。
【請求項５】
請求項１に記載の広告物用支持支柱であって、前記溝（２’）は、前記外側ライニング（２）に２つ設けられるとともに前記支柱の中心線に対して反対側に位置することを特徴とする支持支柱。
【請求項６】
請求項１〜５の何れか１項に記載の広告物用支持支柱であって、手動でロックを解除することが可能であり、ドライビングプーリの回転を一方向のみ許容するように設けられ、帯状体、パネル、旗、及びバナーを新たな操作が行われるまで所定の高さで固定し続けるようにするラチェット機構（１５）を備えることを特徴とする支持支柱。
【請求項７】
請求項１〜６の何れか１項に記載の広告物用支持支柱であって、前記外側ライニング（２）は、半円筒形状で複数の垂直部分に分割され、前記根元に隣接して設けられるこれらの部分の１つ（２５）は、前記ドライビングプーリの駆動機構を作動させることや、広告物の取り除き、及び／又は、新たな取り付けを行うことが必要な場合はいつでも取り外し可能に設けられていることを特徴とする支持支柱。
【請求項８】
請求項４に記載の広告物用支持支柱であって、前記帯、パネル、旗、及びバナーの支持を可能とする機器は、特定の目的に従って、支持体、ブラケット、及び前記スライド間の固定部材からなる複数の部材の一部又は全部を取り付け、又は取り外すことによって再構成されるものである支持支柱。
【発明の詳細な説明】
【技術分野】
【０００１】
本発明は、広告物の支持支柱に関するものであり、特には、帯状体、パネル、旗、及びバナーを支える支柱に関する。
【背景技術】
【０００２】
今日、帯状体、パネル、旗またはバナーの道端での展示には、大抵の場合、特にこの目的の為に考えられた支持物や接続物を利用するものではなく、他の目的の為の既存の手段、例えば、ランタン、バルコニー、木等を用いて、それらの広告物をロープや金属製のフレームによって固定する。
【０００３】
上記の場合では、広告物の取り付け、更新、クリーニング、復元、及び取り外しの作業は、高所に典型的な危険（人や物が上から落ちる等）を伴い、また、つり上げ装置を備える車両の使用によるコストが生じるため、本発明者は、これらの欠点を克服すべく、下記特許文献１に記載のように、特に広告物を支持するように設計された支柱を既に考え出している。
【先行技術文献】
【特許文献】
【０００４】
【特許文献１】イタリア国特許第１３５５０７５号明細書
【０００５】
この支柱によれば、その内側に、ガイドに沿って支柱の先端からその支柱の根元近くまでスライドすることができ、また、ねじやナットによる連結システムによって、支柱の内側に配設されるウォームねじに取り付けられてその動きが制御されるカーソルと、その支柱のライニングに沿って形成される垂直の溝に沿ってスライド可能な広告物の金属製支持体と、前記カーソルに取り付けられる支柱内側の内側部材と、好ましくは、３つの固定ポイントを備えるフォークのような形状であって、上側、中央、下側部分に広告物をセットする外側部材とを備えている。
【発明の概要】
【発明が解決しようとする課題】
【０００６】
本発明は、上記のような支柱に関し、簡単な形状であり、また、カーソル及びこれに固定できる金属製支持体のような構造部材を、よりよくモジュール化できるだけでなく、生産コストを改善した支柱を提供することを目的とする。
【課題を解決するための手段】
【０００７】
広告物、特に帯状体、旗、バナーを支持する本発明に従う支柱によれば、上述した支柱のように、内側金属製構造物と、前記支柱の全長に亘って延在するとともに前記支柱の先端から根元に隣接する位置まで延びる少なくとも１つの垂直な溝を有する外側ライニングと、を備え、さらに、以下の構成を備えることを特徴とする。
−支柱の根元に隣接して設けられるドライビングプーリ、及び支柱の先端に隣接して同じように設けられるリターンプーリに取り付けられる内側ベルト。
−前記ベルトに並んで設けられる少なくとも１本のレールに沿ってスライドでき、その内の１つは、本質的に上側に設けられるとともに前記ベルトの一部に固着される２つの内側スライド。
−前記広告物を直接的に又は間接的に支持するように構成され、前記溝内でスライドし、第１の前記スライド及び第２の前記スライドにそれぞれ取り外し可能な方法で固定された前記ライニングの内側部、及び前記広告物用の固定ポイント又は支持ブラケットに固着された外側部を有する、少なくとも２つの部材。
−減速機構と、前記ベルトに固着された前記スライドの上昇、下降を操作することができる手動操作用クランクとを有する前記ドライビングプーリの駆動装置。
【０００８】
本発明の特徴や利点は、形状が概略的に示された添付の図面に表され、非限定的な性質となる実施例を説明する以下の記載によって、より明確となるであろう。
【図面の簡単な説明】
【０００９】
【図１】本発明に従う支柱の縦断面図である。
【図２】図１に示す“ａ”部の拡大斜視図である。
【図３】図１に示す“ｂ”部の拡大斜視図である。
【図４】図１に示す“ｃ”部の拡大斜視図である。
【図５】図１に示す“ｄ”部の拡大斜視図である。
【図６】Ａ−Ａでの断面を拡大して示す水平断面図である。
【図７】図１、４、５及び８に示す、各支持体８及び９の外形図である。
【図８】スライド６及び７の斜視図であって、広告用パネル又はバナーを支持する場合に結合される状態を示す図である。
【図９】本発明に従う支柱を広告用パネルの支持に用いる図である。
【図１０】本発明に従う２本の支柱を帯状体の支持に用いる図である。
【図１１】本発明に従う支柱をバナー又は旗の支持に用いる図である。
【発明を実施するための形態】
【００１０】
図１は、帯状体、パネル、旗、及びバナーを支える支柱の縦断面図を概略的に示す。図において符号を付した種々の要素は、下記を意味するものである。
１は、２つの内側金属製ポスト（図６のポスト１及びポスト１’）の１つであり、支柱の全長に亘ってＣ字状断面を有する。
２は、外側ライニング（断面を図６に示す）であって、支柱の先端から根元付近まで延び、対向する２つの溝（図６の溝２’を参照）を有する。
３は、支柱の根元側に隣接して設けられるドライビングプーリ４と、同じ支柱の先端側に隣接して設けられるリターンプーリ５とに取り付けられるベルトである。
６及び７は、前記ベルトに並んで設けられる２本のレール（図６に示すレール１８、及び１８’）に沿ってスライドするスライドであり、上側スライド６はベルトの一部に固着され、また、下側スライド７はレールに沿って自由にスライドすることができる。（又は、以下の図８〜１０において示すように、水平方向の帯状体、又はパネルを支持するために利用される支柱の場合は、第１のスライドと結合する。）
８及び９は、金属製の支持体であって、それぞれが前記溝の一方の内側をスライドし、それぞれが、前記スライド６及び７の一方に取り外し可能な態様で固定され、ライニングの内側に位置する内側部と、バナー、又は旗（図示せず）を支持するブラケット１０及び１１の固定ポイントを保持する外側部とを備える。
【００１１】
図２〜図５は、図１の部材の拡大斜視図を示し、それぞれ、長方形の破線部分ａ〜ｄを含んでいるが、ここでは、明確に表示する為に、ライニング２を省略している。
【００１２】
特に、図２は、プーリ４とベルト３とに隣接して、下記のものが示されている。
−ギヤ１２と１３で構成された減速機構。
−手動操作用クランク１４。
−ギヤの回転を一方向だけにすることができるラチェット機構。
その機構は、手動にて作動不能にすることができる。
【００１３】
図３は、支柱１に固定され、また、支柱の先端に設けられてライニングに接合するように設計された円形プレート１６の直下に設けられる、プーリ５を示す。
【００１４】
図４及び５には下記が示されている。
−ブラケット１０、１１の外形と、支持体８及び９の結合態様。
−支持体８及び９（そのモジュール形状は、図７により完全に示されている）におけるブラケット１０及び１１、並びにスライド６及び７への結合態様。
−箱形のスリーブに似た、スライド６及び７の構造、並びに、図４、５には示されていないが、図６に示されている、レール１８’上をスライドするように設けられた、スライド６及び７上の一対のローラーベアリング１７の存在。（図６にまとめて示されているように、各スライドは、また、第２の対となるベアリング１７を有し、反対側に対となるベアリング１７’を有する。）
【００１５】
図６は、図１の支柱につき、同図のＡ−Ａに沿う水平断面における図である。同様にして下記を、特に強調して示す。
−外側ライニング２と、対向する溝２’。
−Ｃ字状断面の２つの支柱１及び１’、及び前記支柱へのライニング２の固定態様。
−支柱に取り付けられる２本のレール１８及び１８’。
−スライド６の断面図と、レール１８及び１８’をスライドする２対のベアリング１７及び１７’の下側のベアリング。
−スライド６から突出する２対のフラップ２０、２０’が存在し、このスライド６に、支持体８の下方側先端部が固定されている。
−右側部分が前記スライドに固定される、ベルト３の２つの部分。
【００１６】
下側スライド７の構造を参照すると、その構造はスライド６の構造と完全に類似するものであり、違いは、スライド６との関係で上下逆さまに返されていることである（フラップで固定される支持体９は、その支持体９の上側に位置するスライド６の支持体とは反対側であって、下側に位置する）。そのうえ、スライド７はベルトの両端部から離して設けられていて、レール１８及び１８’に沿って自由にスライドすることができる。これにより、ブラケット１１を旗やバナーの下縁に固定する際（例えば、図１１参照）、ガイドアセンブリ７、支持体９、ブラケット１１の重さによって、旗等の伸張が維持される。
【００１７】
２つのスライドにおけるフラップ２０及び２１の異なる位置は、本発明に従う支柱が、旗又はバナーのみならず（図１１を参照）、また、パネル（図９を参照）又は水平方向の帯状体（図１０を参照）を支持する為に利用できるという事実によって証明される。これら後者２つの場合において、ブラケット１０及び１１は、実際は設けられておらず、支持体８及び９の数は、４つから、その支柱の同一側に位置する場合は２つのみにまで減らすことができる。そして、例えば図８に示すプレートによって、下側スライドを上側スライドに固定する。（スライド６及び７の右側に取り付けられるフラップに、同時に取り付けられているプレート２１を参照。）従って、支持体８及び９は互いに結合され、そして、ドライビングプーリの動作によって、それらが同時に移動する。
【００１８】
本発明の利用可能な方法を、以下に記載する。
【００１９】
水平の帯（図１０）を取り付けるには、２本の支柱を、ある距離（例えば道の両側）にて設置し、以下のステップに従い進めて行くことが必要である。
−ラチェット機構のロックを解除しつつ、手動でドライビングプーリを操作して、それらの下側停止位置までスライドを下げる。
−支持体８及び９にブラケットが取り付けられていたら取り外す。
−２つの支持体８の内の１つ、及び２つの支持体９の内の１つが、帯状体の取り付けに含まれないものであれば取り外す。
−必要な場合には、プレート２１によって２つのスライドを連結する。
−帯状体の４つの弾性固定ロッドを、図７において“２２”で示す固定ポイントに結びつける。
−手動により、スライドを上側停止位置まで上昇させる。
【００２０】
図１０は、例示的目的で、本発明に従い、帯状体が２本の支柱に取り付けられる方法を示す。
【００２１】
帯状体の代わりに広告パネルを取り付けるためには、前のケースと似た設置方法が用いられる。違いは、パネルを支持体へ固定する方法だけである。この場合、パネルは、図７に“２３”で示される固定ポイントにねじで固定される。図９は、例示的目的で、本発明に従う支柱が同じように取り付けられた広告パネルとともにどのように見えるかを示すものである。
【００２２】
旗、又はバナーを取り付ける場合、その１つは、以下のステップに従い進められる。
−ラチェット機構のロックを解除しつつ、手動でドライビングプーリを操作して、それらの下側停止位置までスライドを下げる。
−必要であれば、連結プレート２１を取り外して２つのスライドの連結を解除する。
−必要であれば、それぞれの固定システムを係合させて、スライド６及び７に支持体８及び９を対称に取り付ける。
−図７に“２３”で示す固定ポイントを使用し、ブラケットを支持体にねじで固定する。（ブラケットの管状のロッドは、旗やバナーとともに取り付けられる。）
−スライド６を上側停止位置まで上昇させる。
【００２３】
図９〜１１に表す図に関し、支柱の垂直長さに従って互いに続いていく水平ライン（図１０のライン２４）は、支柱の外側ライニングが、複数の垂直部分に細分化されていて、各々が半円筒形状であることを示す。支柱の根元に隣接する（図１０の２５によって示す部分を参照）これらの部分の１つは、ドライビングプーリの駆動機構を作動や、広告物の取り除き、及び／又は、新たな取り付けが必要な場合はいつでも取り外される。
【００２４】
上述した具体例は、説明のための記載であり、非限定的な目的は、以下の請求の範囲を逸脱すること無く、変更、適合、変形、及び機能上同等な種類の他の要素への代用を与えるものである。
【図１】
2012003261.tif 000003
【図２】
2012003261.tif 000004
【図３】
2012003261.tif 000005
【図４】
2012003261.tif 000006
【図５】
2012003261.tif 000007
【図６】
2012003261.tif 000008
【図７】
2012003261.tif 000009
【図８】
2012003261.tif 000010
【図９】
2012003261.tif 000011
【図１０】
2012003261.tif 000012
【図１１】
2012003261.tif 000013
【外国語明細書】
2012003261000001.pdf